(57)【要約】【課題】画像形成装置の表示部を視覚障がい者にとって見えやすくすることを目的とする。【解決手段】携帯端末装置の表示設定情報に基づく表示部の画面表示処理を行うか否かを判定する判定手段と、前記判定手段により前記携帯端末装置の表示設定情報に基づく前記表示部の画面表示処理を行わないと判定された場合、複数の画面表示例を含む選択画面を前記表示部に表示する表示手段と、前記表示手段により表示された前記選択画面を介して選択された画面表示例に対応する表示設定情報に基づいて、前記表示部の表示処理を制御する制御手段と、を有する。【選択図】図１２
2016203592.tif 000002
【特許請求の範囲】
【請求項１】
携帯端末装置の表示設定情報に基づく表示部の画面表示処理を行うか否かを判定する判定手段と、
前記判定手段により前記携帯端末装置の表示設定情報に基づく前記表示部の画面表示処理を行わないと判定された場合、複数の画面表示例を含む選択画面を前記表示部に表示する表示手段と、
前記表示手段により表示された前記選択画面を介して選択された画面表示例に対応する表示設定情報に基づいて、前記表示部の表示処理を制御する制御手段と、
を有する画像形成装置。
【請求項２】
前記携帯端末装置から前記携帯端末装置の表示設定情報を受信する受信手段を更に有し、
前記判定手段は、前記受信手段により受信された前記携帯端末装置の表示設定情報に基づく表示部の画面表示処理を行うか否かを判定する請求項１記載の画像形成装置。
【請求項３】
前記判定手段は、前記表示部に表示された前記携帯端末装置の表示設定情報を示す画面表示例を含む確認画面を介したユーザの操作に基づいて、前記携帯端末装置の表示設定情報に基づく表示部の画面表示処理を行うか否かを判定する請求項１又は２記載の画像形成装置。
【請求項４】
前記表示手段は、前記携帯端末装置の表示設定情報に応じた順番に表示される前記複数の画面表示例を含む選択画面を前記表示部に表示する請求項１乃至３何れか１項記載の画像形成装置。
【請求項５】
前記表示手段は、前記複数の画面表示例を含み、前記携帯端末装置の表示設定情報に応じて、前記携帯端末装置の表示設定情報の中の設定可能な設定項目を特定し、特定した前記設定項目に関する画面表示例以外の画面表示例を非表示にすることで、選択不可とする前記選択画面を前記表示部に表示する請求項１乃至４何れか１項記載の画像形成装置。
【請求項６】
前記表示手段は、前記複数の画面表示例を含み、前記携帯端末装置の表示設定情報に応じて、前記携帯端末装置の表示設定情報の中の設定可能な設定項目を特定し、特定した前記設定項目に関する画面表示例以外の画面表示例をグレーアウト表示にすることで選択不可とする前記選択画面を前記表示部に表示する請求項１乃至４何れか１項記載の画像形成装置。
【請求項７】
前記表示手段は、前記選択画面を前記表示部に表示し、音声ガイドが指定されている場合、更に、前記選択画面を介して選択された画面表示例に対応する表示設定情報に基づいて、前記表示部に画面を表示するか否かの決定に利用される決定確認画面を前記表示部に表示し、
前記制御手段は、前記表示手段により表示された前記決定確認画面を介して、前記選択された画面表示例に対応する表示設定情報に基づいて、前記表示部に画面を表示することが決定された場合、前記選択された画面表示例に対応する表示設定情報に基づいて、前記表示部の表示処理を制御する請求項１乃至６何れか１項記載の画像形成装置。
【請求項８】
前記表示手段は、前記携帯端末装置の表示設定情報の設定項目の設定値を設定することが許可されていないため、前記携帯端末装置の表示設定情報に基づいて、前記表示部に画面を表示できない場合、前記複数の選択候補の表示設定情報のうち、前記設定項目における前記携帯端末装置の表示設定情報との差分が最も小さい２つの表示設定情報を示す２つの画面表示例を含む前記選択画面を前記表示部に表示する請求項１乃至７何れか１項記載の画像形成装置。
【請求項９】
前記制御手段は、前記携帯端末装置の表示設定情報の設定項目の設定値を設定することが許可されていないために、前記携帯端末装置の表示設定情報に基づいて、前記表示部に画面を表示できない場合、前記複数の選択候補の表示設定情報のうち、前記設定項目における前記携帯端末装置の表示設定情報との差分が最も小さい表示設定情報に基づいて、前記表示部の表示処理を制御する請求項１乃至８何れか１項記載の画像形成装置。
【請求項１０】
前記表示手段は、複数の画面表示例を含む項目選択画面を前記表示部に表示し、更に、前記項目選択画面を介して選択された画面表示例に対応する設定項目に関する複数の選択候補の表示設定情報のそれぞれを示す複数の画面表示例を含む選択画面を前記表示部に表示する請求項１乃至９何れか１項記載の画像形成装置。
【請求項１１】
前記制御手段は、前記表示部を介したユーザによる操作が閾値以上の期間、行われなかった場合、デフォルトの表示設定情報に基づいて、前記表示部の表示処理を制御する請求項１乃至１０何れか１項記載の画像形成装置。
【請求項１２】
画像形成装置が実行する情報処理方法であって、
携帯端末装置の表示設定情報に基づく表示部の画面表示処理を行うか否かを判定する判定ステップと、
前記判定ステップで前記携帯端末装置の表示設定情報に基づく前記表示部の画面表示処理を行わないと判定された場合、複数の画面表示例を含む選択画面を前記表示部に表示する表示ステップと、
前記表示ステップで表示された前記選択画面を介して選択された画面表示例に対応する表示設定情報に基づいて、前記表示部の表示処理を制御する制御ステップと、
を含む情報処理方法。
【請求項１３】
コンピュータに、
携帯端末装置の表示設定情報に基づく表示部の画面表示処理を行うか否かを判定する判定ステップと、
前記判定ステップで前記携帯端末装置の表示設定情報に基づく前記表示部の画面表示処理を行わないと判定された場合、複数の画面表示例を含む選択画面を前記表示部に表示する表示ステップと、
前記表示ステップで表示された前記選択画面を介して選択された画面表示例に対応する表示設定情報に基づいて、前記表示部の表示処理を制御する制御ステップと、
を実行させるためのプログラム。
【発明の詳細な説明】
【技術分野】
【０００１】
本発明は、画像形成装置、情報処理方法及びプログラムに関する。
【背景技術】
【０００２】
画像形成装置や携帯端末装置等ユーザが操作する装置には、視力補正を必要としているユーザや視覚障がいを持つユーザにとって操作しやすいように操作画面をカスタマイズできるようになっているものがある。操作画面のカスタマイズ方法には、弱視ユーザに対して文字を大きくしたりボタンをアイコン表示にしたりする方法等がある。また、操作画面のカスタマイズ方法には、色弱ユーザに対してカラー画面をモノクロ画面表示に切り替えたりする方法等もある。操作画面のカスタマイズの設定処理は、一般的にアクセシビリティ設定と呼ばれている。
携帯端末装置等のパーソナル装置の使用において、１台の装置を１人のユーザが使用するケースが大半であるため、携帯端末装置等のユーザは、通常、その携帯端末装置等に対してアクセシビリティ設定を行う。一方、ＭＦＰ等の画像形成装置の使用においては、１台の装置を複数人数のユーザにより使用されるケースが多いため、以下のような方法が提案されている。即ち、ユーザＩＤによるログインシステムを導入し、特許文献１にあるように、ユーザのログイン後にログインユーザＩＤに関連付けられている表示設定情報を表示部に指定するアクセシビリティ設定をする方法が提案されている。このような方法が適用されている画像形成装置の操作パネル等の表示部において、ログイン画面は、通常の画面となっているが、ログイン後、そのログインユーザＩＤに関連付けられている設定が画面の表示に反映される。
【先行技術文献】
【特許文献】
【０００３】
【特許文献１】特開２００５−３５２９４号公報
【発明の概要】
【発明が解決しようとする課題】
【０００４】
画像形成装置上でユーザＩＤに関連付けられている表示設定情報をアクセシビリティ設定する場合、ユーザＩＤ毎、及び画像形成装置毎にユーザＩＤに関連付けられている表示設定情報の保存や各種設定作業を行う必要があるため手間がかかるという課題がある。また、画像形成装置をログイン設定せず誰でも利用できるような方式で運用する場合、その表示部の画面は、弱視者や色覚異常を持つ者等の視覚障がい者向けにカスタマイズされず、視覚障がい者にとって操作しづらいという課題がある。
更に、携帯端末装置、画像形成装置等の装置ごとに表示部等の表示部の大きさや見え方等が異なるため、視覚障がい者が使用する携帯端末装置等に設定されている表示設定情報をそのまま画像形成装置の表示部に反映した場合でも、以下の課題がある。即ち、携帯端末装置等に設定されている表示設定情報がそのまま反映された画像形成装置の表示部は、必ずしも、その視覚障がい者に見えやすいものになるとは限らない、という課題がある。
そこで、本発明は、画像形成装置の表示部を視覚障がい者にとって見えやすくすることを目的とする。
【課題を解決するための手段】
【０００５】
そこで、本発明の画像形成装置は、携帯端末装置の表示設定情報に基づく表示部の画面表示処理を行うか否かを判定する判定手段と、前記判定手段により前記携帯端末装置の表示設定情報に基づく前記表示部の画面表示処理を行わないと判定された場合、複数の画面表示例を含む選択画面を前記表示部に表示する表示手段と、前記表示手段により表示された前記選択画面を介して選択された画面表示例に対応する表示設定情報に基づいて、前記表示部の表示処理を制御する制御手段と、を有する。
【発明の効果】
【０００６】
本発明によれば、画像形成装置の表示部を視覚障がい者にとって見えやすくすることができる。
【図面の簡単な説明】
【０００７】
【図１Ａ】印刷システムのシステム構成の一例を示す図である。
【図１Ｂ】携帯端末装置のハードウェア構成等の一例を示す図である。
【図１Ｃ】画像形成装置のハードウェア構成等の一例を示す図である。
【図２】印刷システムの通常の処理の一例を示すシーケンス図である。
【図３】携帯端末装置のユーザインターフェースの一例を示す図である。
【図４】画像形成装置の操作部の一例を示す図である。
【図５Ａ】携帯端末装置の通常の処理の一例を示すフローチャートである。
【図５Ｂ】画像形成装置の通常の処理の一例を示すフローチャートである。
【図５Ｃ】画像形成装置の通常の処理の一例を示すフローチャートである。
【図６】携帯端末装置の設定値管理テーブルの一例を示す図である。
【図７】近接電波通信のデータフォーマットの一例を示す図である。
【図８】携帯端末装置が送信するデータの一例を示す図である。
【図９】画像形成装置の設定値管理テーブルの一例を示す図である。
【図１０】画像形成装置の表示部の表示画面等の一例を示す図である。
【図１１】項目選択画面の一例を示す図である。
【図１２】画像形成装置の処理の一例を示すフローチャートである。
【図１３】表示詳細選択画面の一例を示す図である。
【図１４】画像形成装置の表示部の表示画面等の一例を示す図である。
【図１５】項目選択画面の一例を示す図である。
【図１６】表示詳細選択画面の一例を示す図である。
【図１７】表示詳細選択画面の一例を示す図である。
【発明を実施するための形態】
【０００８】
以下、本発明の実施形態について図面に基づいて説明する。
【０００９】
＜実施形態１＞
図１Ａは、本実施形態の印刷システムのシステム構成の一例を示す図である。印刷システムは、ユーザが操作する携帯端末装置１０１、印刷ジョブ等を受信し印刷出力等を行う画像形成装置１０２、１０３等を含む。携帯端末装置１０１、画像形成装置１０２、１０３は、Ｅｔｈｅｒｎｅｔ（登録商標）等で構成されるネットワーク１０４、及びネットワークを無線で接続するための無線ＬＡＮベースステーション１０５を介して、互いに無線接続されている。両矢印１０６は、携帯端末装置１０１、画像形成装置１０２、１０３が互いに無線接続されている様子を示す。
画像形成装置１０２、１０３は、クライアントとなる携帯端末装置１０１が生成した印刷ジョブ、設定ジョブ等をネットワーク１０４経由で受信する。画像形成装置１０２、１０３は、印刷ジョブを受信した場合、受信した印刷ジョブに係る印刷処理を行う。また、画像形成装置１０２、１０３は、設定ジョブ等を受信した場合、受信したジョブに応じた設定処理等を行う。更に、携帯端末装置１０１と画像形成装置１０２、１０３とは、無線接続により接続されているが、微弱電波により近距離（数メートル程度）で通信を行う方式での接続も可能となっている。微弱電波とは、微弱無線局が発する程度の電波のことを指す。以下では、微弱電波による近距離の無線通信を近接通信とする。両矢印１０７は、携帯端末装置１０１と画像形成装置１０２とが近接通信で通信を行う方式で互いに接続されていることを示す。近接通信の方式には、片方の装置から他方の装置への一方向のみの通信が可能である方式と、及び双方向の通信が可能である方式と、がある。
【００１０】
図１Ｂは、携帯端末装置１０１のハードウェア構成等の一例を示す図である。携帯端末装置１０１は、ＣＰＵ１１１、ＲＡＭ１１２、ＲＯＭ１１３、表示部操作Ｉ／Ｆ１１５、無線ネットワークＩ／Ｆ１１７、外部メモリＩ／Ｆ１１９、近接通信モジュールＩ／Ｆ１２０等を含む。ＣＰＵ１１１、ＲＡＭ１１２、ＲＯＭ１１３、表示部操作Ｉ／Ｆ１１５、無線ネットワークＩ／Ｆ１１７、外部メモリＩ／Ｆ１１９、近接通信モジュールＩ／Ｆ１２０等は、システムバス１１４を介して相互に接続されている。
ＣＰＵ１１１は、ＲＡＭ１１２に保存されているプログラムに従って、システムバス１１４に接続される各デバイスを総括的に制御する。ＲＡＭ１１２は、ＣＰＵ１１１の主メモリ、ワークエリア等として機能する。ＲＯＭ１１３は、基本的な各種プログラム及びデータ等を保存している。
【００１１】
表示操作部Ｉ／Ｆ１１５は、表示操作部１１６への情報の表示制御を行う。また、表示操作部１１６は、表示機能を持つと同時にタッチパネルとなっておりユーザからの入力を制御する。無線ネットワークＩ／Ｆ１１７は、無線ネットワークモジュール１１８の制御を行い、無線ＬＡＮベースステーション１０５を介した無線ネットワーク通信を行う。
近接通信モジュールＩ／Ｆ１２０は、近接通信モジュール１２１を制御し、近接通新を行う。近接通信には、通信方向の観点から二種類の方式がある。一つ目の方式は、片方の装置が微弱電波に特定の情報を乗せて定期的に情報発信し、他方の装置がその装置に近接した際に微弱電波を検知して発信されている情報を取得する方式である。一つ目の方式において、情報の伝達方向は、一方向となる。二つ目の方式は、２台の装置が近接した際に微弱電波により双方向で情報の授受を行う方式である。二つ目の方式において、情報の伝達方向は、双方向となる。
外部メモリＩ／Ｆ１１９は、例えば、フラッシュメモリー、Ｓｏｌｉｄ  Ｓｔａｔｅ  Ｄｉｓｋ（ＳＳＤ）等の外部メモリ１３１とのアクセスを制御する。外部メモリ１３１は、オペレーティングシステム（以下、ＯＳ）１３２のプログラムをはじめ、アクセシビリティ制御アプリケーション１３６のプログラム、各種設定された閾値等を保存し、携帯端末装置１０１から保存又は読み取りが可能な記憶媒体として機能する。外部メモリ１３１が保存しているプログラムの情報処理がＣＰＵ１１１により実行されることで実現される機能は、携帯端末装置１０１の機能であるとする。
【００１２】
ＯＳ１３２は、アクセシビリティ制御アプリケーション１３６等を動作させるためのアプリケーションフレームワーク１３３、ＯＳ１３２が提供するシステムプログラム１３４、各種ユーティリティ関数等を保存したライブラリ１３５を含む。また、ＯＳ１３２は、各種設定を保存するためのユーザ設定情報システム保存領域１４２等を含む。また、アクセシビリティ制御アプリケーション１３６は、アプリケーション実行コードを含む。また、アクセシビリティ制御アプリケーション１３６は、ユーザＩ／Ｆ制御部１３７、システムプログラム１３４により設定された値を取得するシステム設定取得部１３８を含む。更に、アクセシビリティ制御アプリケーション１３６は、表示操作部１１６等を介したユーザの操作に基づいて、設定したユーザ設定情報を保存するユーザ設定情報保存領域１３９等を含む。
ＣＰＵ１１１が、ＲＯＭ１１３又は外部メモリ１３１に保存されたプログラムに基づき処理を実行することによって、携帯端末装置１０１の機能及び後述するフローチャートの処理が実現される。
【００１３】
図１Ｃは、画像形成装置１０２のハードウェア構成等の一例を示す図である。画像形成装置１０２は、ＣＰＵ１５２、ＲＡＭ１５３、ＲＯＭ１５４、ネットワークＩ／Ｆ１５５、操作部Ｉ／Ｆ１５６、プリンタＩ／Ｆ１５８、外部メモリＩ／Ｆ１６０、近接通信モジュールＩ／Ｆ１６１等を含む。
ＣＰＵ１５２は、画像形成装置１０２の全体の動作を制御している。ＲＡＭ１５３は、ＣＰＵ１５２の主メモリ、ワークエリア等として機能するとともに、画像情報展開領域、環境データ保存領域としても用いられる。また、ＲＡＭ１５３は、ＮＶＲＡＭ（Ｎｏｎ−ｖｏｌａｔｉｌｅ  ＲＡＭ：不揮発性ＲＡＭ）領域も備えており、増設ポートに接続されるオプションＲＡＭによりメモリ容量を拡張することができる。ＲＯＭ１５４は、各種フォントやＣＰＵ１５２により実行される制御プログラム、各種データ等を保存している。
【００１４】
ネットワークＩ／Ｆ１５５は、無線ＬＡＮベースステーション１０５を介して携帯端末装置１０１や他のネットワークに接続されたクライアント装置との間でデータの送受信を行なう。プリンタＩ／Ｆ１５８は、プリンタエンジンである印刷部１５９との間の入出力を制御する。近接通信モジュールＩ／Ｆ１６１は、微弱電波により近接した装置との通信を行うための近接通信モジュール１６２の制御を行う。
外部メモリＩ／Ｆ１６０は、外部メモリ１７１へのアクセスを制御する。外部メモリ１７１は、フラッシュメモリー、ＳＳＤ等で構成されている。外部メモリ１７１は、画像形成を行うための印刷制御プログラム１７２を保存する。また、外部メモリ１７１は、表示部４０２の画面表示制御を行うための操作部制御プログラム１７３、近接通信の制御を行うための近接通信制御プログラム１７４を保存する。更に、外部メモリ１７１は、経過期間を計測するための時間計測部１７５、ユーザ設定情報を保存するユーザ設定情報保存領域１７６、各種設定された閾値等を保存する。外部メモリ１７１が保存しているプログラムの情報処理がＣＰＵ１５２により実行されることで実現される機能は、画像形成装置１０２の機能であるとする。
【００１５】
操作部Ｉ／Ｆ１５６は、画像形成装置１０２に対しての印刷処理等を指示等に利用される操作部１５７との間の入出力を制御する。操作部１５７は、ユーザによる操作を受け付けるための表示部４０２等の表示部を含み、その表示部４０２には操作のためのスイッチ及びＬＥＤ表示器、液晶ディスプレイ等が含まれる。また、画像形成装置１０２は、ＮＶＲＡＭを含み、操作部１５７の表示部からの印刷設定情報をＮＶＲＡＭに保存するようにしてもよい。
ＣＰＵ１５２が、ＲＯＭ１５４又は外部メモリ１７１に保存されたプログラムに基づき処理を実行することによって、画像形成装置１０２の機能及び後述するフローチャートの処理が実現される。
画像形成装置１０３のハードウェア構成等の詳細は、図１Ｃと同様であるとする。
【００１６】
本実施形態の印刷システムの処理の概略について図２を用いて説明する。図２は、印刷システムの通常の処理の一例を示すシーケンス図である。図２の例では、ユーザが携帯端末装置１０１上で必要な表示設定情報の決定処理を行った後に、画像形成装置１０２に近接して、携帯端末装置１０１の表示設定情報を、図４で後述する操作部１５７の表示部４０２に指定する処理を説明する。
Ｓ２１１において、携帯端末装置１０１は、ユーザによる表示操作部１１６を介した操作に基づいて、システム設定プログラムの起動指示を受け付ける。
Ｓ２１２において、携帯端末装置１０１は、Ｓ２１１で受け付けた指示に基づいて、システム設定プログラムを起動する。また、システム設定プログラムは、携帯端末装置１０１に各種システムの設定を行う処理を実行させるためのプログラムであり、システム設定プログラムの処理により表示言語や時刻の設定等の携帯端末装置１０１の動作に関わる各種設定を行うことができる。システム設定の処理により、携帯端末装置１０１は、表示操作部における画面の表示に設定されている表示設定情報を指定することもできる。
【００１７】
Ｓ２１３において、ＣＰＵ１１１は、表示操作部１１６に表示されたシステム設定プログラムの画面を介したユーザの操作に基づいて、表示設定情報の指定を行う。図３（Ａ）は、システム設定プログラムの携帯端末装置１０１の表示設定情報の決定処理に関するユーザＩ／Ｆである画面を示す。
図３（Ａ）において、画面５０１は、表示設定情報に関するユーザＩ／Ｆの画面である。タイトル５０３は、表示設定情報の変更処理に関する画面であることを示すためのタイトルである。スイッチ５０４は、画面全体の色を反転して表示するかどうかを示すスイッチである。画面全体の色を反転して表示した方が画面を見やすい視覚障がいを持ったユーザは、スイッチ５０４をＯＮにすることになる。スイッチ５０５は、警告や通知等を音で知らせる場合、携帯端末装置１０１に含まれるＬＥＤインジケータを利用して光でも通知するかどうかを示すスイッチである。スライダ５０６は、表示操作部１１６の画面表示を行う際の文字の大きさを拡大縮小率で相対的に指定するスライダである。ユーザは、画面５０１を介して、必要に応じてユーザ所望の表示や動作設定を行う。
【００１８】
Ｓ２１４において、携帯端末装置１０１は、システム設定プログラムを介して、Ｓ２１３で指定された設定値をユーザ設定情報システム保存領域１４２に保存する。
Ｓ２１５において、携帯端末装置１０１は、表示操作部１１６を介したユーザの操作に基づいて、アクセシビリティ制御アプリケーションの起動指示を受け付ける。
携帯端末装置１０１は、アクセシビリティ制御アプリケーションを起動する。アクセシビリティ制御アプリケーションは、表示設定情報の設定を行うためのユーザＩ／Ｆ以外にも他の必要な設定を行うためのユーザＩ／Ｆを含む。アクセシビリティ制御アプリケーションは、近接通信モジュール１２１を介して、画像形成装置１０２の近接通信モジュール１６２から発された微弱電波を検知し、表示設定情報に関する制御を行う機能を持っている。
【００１９】
図３（Ｂ）は、アクセシビリティ制御アプリケーションのユーザＩ／Ｆの画面５２１である。画面５２１は、タイトル５２２（「アクセシビリティ設定」）、画像形成装置の表示部４０２の画面の背景画像を消すか否かを示すスイッチ５２３等を含む。スイッチ５２３が示す表示設定情報は、システムプログラムの表示設定情報以外の表示設定情報である。
表示部４０２に使用される液晶パネル等は、高解像度で多色カラー表示が可能となっており、操作ボタン等以外に、背景画像等を表示することができる。しかし、視覚障がい者にとって、背景画像が表示されていると、操作ボタン等を認識しづらくなることがあるため、表示部４０２は、背景画像を消すカスタマイズができるようになっている。アクセシビリティ制御アプリケーションは、システムプログラムの表示設定情報に加え、背景画像を消す表示設定情報の設定ができる。
【００２０】
また、画面５２１は、アクセシビリティ制御アプリケーションを介して取得したシステムプログラムの表示設定情報を、システム設定５２４に示す。より具体的には、システム設定５２４は、項目５２５（「色を反転する」）、項目５２６（「ＬＥＤフラッシュ通知をする」）、項目５２７（「文字の大きさ」）等の表示を含む。アクセシビリティ制御アプリケーションは、項目５２５〜５２７の値を、Ｓ２１３でスイッチ５０４、５０５、スライダ５０６を介して指定された値とする。
ユーザは、画面５２１を介して、アクセシビリティ制御アプリケーションに対して、所望の設定を行う。また、ユーザは、必要があればシステム設定５２４の内容を確認する。ユーザによる設定を受けて、アクセシビリティ制御アプリケーションは、指定された設定値を保存する。以上で、携帯端末装置１０１の設定処理が終了する。
【００２１】
Ｓ２１６において、ユーザは、携帯端末装置１０１を携帯してコピーや印刷ジョブの取得等の操作を行うために画像形成装置１０２に近づく。
Ｓ２１７において、携帯端末装置１０１は、アクセシビリティ制御アプリケーションを介して、画像形成装置１０２が発している近接通信のための電波を受信する。Ｓ２１７の電波の検知処理は、電波強度が設定された閾値以上になった場合、行われるものである。Ｓ２１７の処理の詳細は、図３Ｂ、Ｃにおいて後述する。
Ｓ２１８において、携帯端末装置１０１は、アクセシビリティ制御アプリケーションを介して、画像形成装置１０２から近接通信により情報を取得する。Ｓ２１８で取得される情報には、画像形成装置１０２に情報を送信する際の通信先アドレスや電波を発信している装置を示すＵＵＩＤ等が含まれている。本実施形態では、近接電波による通信は、片方向の通信であるとする。そのため、携帯端末装置１０１は、アクセシビリティ制御アプリケーションを介して、画像形成装置１０２に情報を送る際、微弱電波による近接通信ではなく、無線ＬＡＮベースステーション１０５を介した無線通信等により情報を送る。
【００２２】
Ｓ２１９において、携帯端末装置１０１は、Ｓ２１８で取得した情報に基づいて、通信先のＩＰアドレスを特定する。携帯端末装置１０１は、特定された通信先のＩＰアドレスに表示設定情報を送信し、画像形成装置１０２側で表示部４０２の制御が行われることになる。
Ｓ２２０において、携帯端末装置１０１は、アクセシビリティ制御アプリケーションを介して、Ｓ２１９で決定した通信先のＩＰアドレス、つまり画像形成装置１０２に、表示設定情報のデータを送信する。
Ｓ２２１において、画像形成装置１０２は、Ｓ２２０で送信された表示設定情報のデータを受信する。Ｓ２２０で送信された表示設定情報のデータのフォーマットは、アクセシビリティ制御アプリケーションと画像形成装置１０２との間で予め決められており、情報の授受が可能となっている。
【００２３】
Ｓ２２２において、画像形成装置１０２は、Ｓ２２１で受信した表示設定情報に基づき表示部４０２の画面を変更する。Ｓ２２２の変更処理について、図４を用いて説明する。図４（Ａ）は、通常表示画面が表示部４０２に表示されている操作部１５７の一例である。図４（Ｂ）は、表示部４０２に表示される画面がＳ２２０で受信された表示設定情報に基づき変更された後の操作部１５７の一例である。
図４（Ｂ）の操作部画面４２１は、図４（Ａ）の操作部画面４０１と比べて、「背景画像を消す」の設定項目の設定値がＯＮ、「色を反転する」の設定項目の設定値がＯＮ、「文字の大きさ」の設定項目の設定値が１段階の拡大、となっている。表示部４０２は、液晶パネルであり、メインメニューが表示されている。「コピー」ボタン４０６は、コピーを行うためのボタンである。「スキャン」ボタン４０７は、スキャンを行うためのボタンである。「ファックス」ボタン４０８は、ファックスを行うためのボタンである。ユーザが所望の処理のボタンをタッチすることにより、表示部４０２の画面は、対応する処理指示画面に遷移する。
【００２４】
背景画像４０９は、背景画像を示す。また、物理ボタン４０３は、例えば、コピーする際の部数の設定や、ファックス送信する際の相手先番号の入力等、数字の入力に使用される。物理ボタン４０４は、コピーやスキャン、ファックス等の開始を指示する物理ボタンである。物理ボタン４０５は、処理をキャンセル、又は入力文字を消去する等の取り消し処理を行うための物理ボタンである。表示部４０２は、通常、カラー表示を行う。図４（Ｂ）は、携帯端末装置１０１から受信した表示設定情報に基づき変更された後の表示部４０２の表示内容を示す。図４（Ｂ）の表示部４０２に表示されている画面は、図４（Ａ）に比べて、文字の大きさが大きくなっており、色が反転表示されており、背景画像が消去されている。
以上のように、ユーザが携帯端末装置（１０１）を携帯し、画像形成装置１０２に近づくと、画像形成装置１０２は、携帯端末装置１０１からのアクセシビリティ制御アプリケーションの情報に基づき、表示部４０２の表示をユーザに合った画面に変更する。ユーザは、その後、変更後の画面により操作を行うことになる。
ユーザは、携帯端末装置１０１を携帯し、画像形成装置１０２で操作を行うが、必要な操作を行った後、画像形成装置１０２から離れることになる。その際、携帯端末装置１０１は、アクセシビリティ制御アプリケーションを介して、近接通信の電波強度が設定された閾値以下になったことを検知する。
【００２５】
Ｓ２３５において、画像形成装置１０２は、時間計測部１７５を介して、タイムアウトを検出し、タイムアウトが発生した場合、表示部４０２の画面表示を通常画面表示に戻す。
以上が図２のシーケンス図に基づく全体の処理シーケンスの説明である。なお、通常画面表示に戻すタイミングとしては、他にユーザが画像形成装置１０２にログインし、利用後にログアウトするタイミング等でもよい。
【００２６】
次に、本実施形態における各装置の処理の詳細について説明する。
図５Ａは、携帯端末装置１０１の通常の処理の一例を示すフローチャートである。なお、ＣＰＵ１１１は、システムプログラム１３４を実行することで、表示設定情報の内容の変更ができる。ＣＰＵ１１１は、画面５０１を介したユーザの操作に基づいて表示設定情報の内容を変更しているものとする。表示設定情報は、「色を反転する」の設定項目の設定値がＯＮ、「ＬＥＤフラッシュ通知をする」の設定項目の設定値がＯＮ、「文字の大きさ」の設定項目の設定値が１段階大きくしているものであるとする。「文字の大きさ」の設定項目は、相対設定となっており、１段階大きくすると２５％大きくなるものとし、１２５％の大きさ指定をしていることになる。なお、図３（Ａ）の例では、携帯端末装置１０１が表示設定情報の内容を変更する対象は、画像形成装置１０２であるとするが、画像形成装置１０３であってもよい。
【００２７】
Ｓ３０１において、ＣＰＵ１１１は、表示操作部１１６を介したユーザの操作にもとづいて、起動指示を受付け、アクセシビリティ制御アプリケーションを立ち上げる。ＣＰＵ１１１は、以降の処理を、アクセシビリティ設定アプリケーションを介して実行する。
Ｓ３０２において、ＣＰＵ１１１は、ＯＳ１３２から表示設定情報を取得し、表示設定情報テーブルを更新する。ＯＳ１３２から取得した表示設定情報は、アプリケーションフレームワーク１３３のＡＰＩ（Ａｐｐｌｉｃａｔｉｏｎ  Ｐｒｏｇｒａｍｍｉｎｇ  Ｉｎｔｅｒｆａｃｅ）を呼び出すことにより取得することができる。取得できる表示設定情報は、「色を反転する」の設定項目の設定値がＯＮ、「ＬＥＤフラッシュ通知をする」の設定項目の設定値がＯＮ、「文字の大きさ」の設定項目の設定値が１５０（％）である。
【００２８】
次に、ＣＰＵ１１１は、Ｓ３０２で取得した設定値をユーザ設定情報保存領域１３９にテーブル形式で保存する。図６（Ａ）は、Ｓ３０２で作成される表示設定情報テーブル６０１である。表示設定情報テーブル６０１は、設定項目６０２及び設定値６０３を含む。なお、表示設定情報テーブル６０１は、スイッチ５０４、５０５、５２３等におけるＯＦＦ／ＯＮをｆａｌｓｅ／ｔｒｕｅの形式で保存する。また、表示設定情報テーブル６０１は、数値についてはその数値自体を保存する。
ＣＰＵ１１１は、アプリケーションフレームワーク１３３のＡＰＩから「色を反転する」の設定項目の設定値を取得する。ＣＰＵ１１１は、取得した設定値がＯＮであるため、「色を反転する」の設定項目に対応する識別子「ｒｅｖｅｒｓｅｃｏｌｏｒ」と、前記設定項目の設定値であるｔｒｕｅと、を保存する。なお、識別子の文字列は、「色を反転する」の設定項目に対応することが判別できればよいため、「色を反転する」の設定項目に対応する文字列は、「ｒｅｖｅｒｓｅｃｏｌｏｒ」に限らない。
【００２９】
次に、ＣＰＵ１１１は、アプリケーションフレームワーク１３３のＡＰＩから「文字の大きさ」の設定項目の設定値を取得する。ＣＰＵ１１１は、取得した設定値が１５０であるため、「文字の大きさ」の設定項目に対応する識別子「ｃｈａｒｓｉｚｅ」と、前記設定項目の設定値である１５０と、を保存する。同様に、ＣＰＵ１１１は、「ＬＥＤフラッシュ通知をする」の設定項目に対応する識別子「ｎｏｔｉｆｙｂｙｌｅｄ」と、前記設定項目に対応する設定値であるｔｒｕｅと、を保存する。
なお、ＣＰＵ１１１は、「背景画像を消す」の設定項目については、システムプログラムの表示設定情報内の設定項目ではなく、アクセシビリティ制御アプリケーションの設定項目であるため、初期状態から保存している。即ち、ＣＰＵ１１１は、表示設定情報テーブル６０１内に、設定項目として識別子「ｅｒａｓｅｂａｃｋｉｍａｇｅ」、前記設定項目に対応する設定値としてｆａｌｓｅを初期状態から保存していることとなる。
【００３０】
Ｓ３０３において、ＣＰＵ１１１は、表示設定情報の変更に利用されるユーザＩ／Ｆを表示操作部１１６に表示する。
Ｓ３０４において、ＣＰＵ１１１は、Ｓ３０３で表示したユーザＩ／Ｆを介したユーザの操作に基づいて、表示設定情報が変更されたか否かを判定する。ＣＰＵ１１１は、表示設定情報が変更されたと判定した場合、Ｓ３０５の処理に進み、表示設定情報が変更されていないと判定した場合、Ｓ３０６の処理に進む。
Ｓ３０５において、ＣＰＵ１１１は、表示設定情報テーブル６０１を更新する。画面５２１において、スイッチ５２３がＯＮに変更されているため、ＣＰＵ１１１は、表示設定情報テーブル６０１を更新する。ＣＰＵ１１１は、スイッチ５２３の設定項目（背景画像の表示・非表示に関する設定項目）に対応する識別子「ｅｒａｓｅｂａｃｋｉｍａｇｅ」の設定値をｔｒｕｅに変更する。図６（Ｂ）は、更新後の表示設定情報テーブル６１１である。識別子「ｅｒａｓｅｂａｃｋｉｍａｇｅ」の設定項目の設定値は、ｔｒｕｅとなっている。
【００３１】
Ｓ３０６において、ＣＰＵ１１１は、近接通信の電波を受信したか否かを判定する。ＣＰＵ１１１は、近接通信の電波を受信したと判定した場合、Ｓ３０７の処理に進み、ＣＰＵ１１１は、近接通信の電波を受信していないと判定した場合、Ｓ３０４の処理に進む。本実施形態におけるＳ３０６で近接通信の電波を受信したと判定された場合とは、つまりユーザが携帯端末装置１０１を携帯し、画像形成装置１０２に近接した場合である。
本実施形態における近接通信は、片方向の通信であるとする。より具体的には、本実施形態における近接通信は、近接通信モジュール１６２が定期的に微弱電波を用いて情報を発信し、その微弱電波を近接したデバイスが検知し、その発信している情報を受信する通信である。
Ｓ３０７において、ＣＰＵ１１１は、近接通信を利用して、近接通信モジュール１６２が送信する情報を取得する。
【００３２】
図７は、アクセシビリティ制御アプリケーションがＯＳ１３２のＡＰＩから取得する情報のフォーマットを示す。アクセシビリティ制御アプリケーションがＯＳ１３２のＡＰＩから取得する情報は、近接通信モジュール１６２が発信している情報と、携帯端末装置１０１が受信した際の電波の強さを示す情報と、を含む。なお、アクセシビリティ制御アプリケーションがＯＳ１３２のＡＰＩから取得する情報は、データ列であれば構わないので図７のフォーマットに限らない。
情報フォーマット７０１の情報は、画像形成装置１０２の近接通信モジュール１６２から発信されている。情報フォーマット７０１は、情報の特定を行うための１２８ビットのＵＵＩＤ（Ｕｎｉｖｅｒｓａｌ  Ｕｎｉｑｕｅ  Ｉｄｅｎｔｉｆｉｅｒ）、通信先を示す３２ビットのＩＰアドレスを含む。また、情報フォーマット７０１は、携帯端末装置１０１が近接通信モジュール１６２から情報を受信した際の電波の強さである電波強度を示す８ビットの情報を含む。
ＵＵＩＤは、特定の手順に従い生成される唯一性のあるＩＤである。近接通信モジュール１６２が発信している情報がＵＵＩＤを含むことにより、その情報を受信した機器は、ＵＵＩＤを手掛かりに動作を決定することが可能となる。例えば、近接通信を利用して二種類の異なるサービスを提供する場合を考える。一つは、携帯端末装置１０１が近接通信の電波を検知した場合、携帯端末装置１０１に特定の商品広告を表示する広告表示サービスである。もう一つは、携帯端末装置１０１が近接通信の電波を検知した場合、携帯端末装置１０１に割引券等を表示する割引券表示サービスである。
【００３３】
携帯端末装置１０１の特定のアプリケーションが近接通信の電波を検知した場合、携帯端末装置１０１の特定のアプリケーションは、ＵＵＩＤを手掛かりに動作を決定する。例えば、広告表示サービス、割引券表示サービスに対し、それぞれ別のＵＵＩＤを割り当てておけば、携帯端末装置１０１の特定のアプリケーションは、近接通信モジュールに近接した際に検知した情報のＵＵＩＤに応じて広告表示又は割引券表示を行う。
近接通信モジュール１６２が発信している情報が含むＵＵＩＤ、ＩＰアドレスの一例は、以下の通りである。近接通信モジュール１６２が発信している情報が含むＵＵＩＤは、０ｘ１２３４５６７８９ａｂｃｄｅｆであるとする。そして、アクセシビリティ制御アプリケーションは、近接通信モジュール１６２が発信している情報が含むＵＵＩＤが０ｘ１２３４５６７８９ａｂｃｄｅｆであるならば、以下の処理を行う。即ち、アクセシビリティ制御アプリケーションは、近接通信モジュール１６２が発信している情報が含むＩＰアドレスが示す通信先に予め決められたフォーマットで表示設定ジョブを送信する。ＣＰＵ１１１は、表示設定ジョブを送信することで、通信先の装置に表十設定ジョブに含まれる表示設定情報を設定することができるものとする。
【００３４】
また、近接通信モジュール１６２が発信している情報が含むＩＰアドレスは、１９２．１６８．０．２７であるとする。近接通信モジュール１６２が発信している情報が含む電波強度は、６７であり、単位は％であるとする。
ＣＰＵ１１１は、微弱電波による近接通信が一方向の通信であるため、ＩＰアドレス（１９２．１６８．０．２７）の宛先に、無線通信を利用して表示設定ジョブを送信する。それにより、ＣＰＵ１１１は、送信先の装置に表示設定ジョブに含まれる表示設定情報を設定することが可能となる。
近接通信モジュール１６２が発信している電波の電波強度は、近接通信においては複数の段階に分類されている場合があり、本実施形態では、０％、３３％、６７％、１００％、の４段階に分類されているものとする。
【００３５】
Ｓ３０８において、ＣＰＵ１１１は、Ｓ３０７で取得した近接通信モジュール１６２が発信する情報に含まれるＵＵＩＤが、０ｘ１２３４５６７８９ａｂｃｄｅｆであるか否かを判定する。ＣＰＵ１１１は、Ｓ３０７で取得した近接通信モジュール１６２が送信する情報に含まれるＵＵＩＤが、０ｘ１２３４５６７８９ａｂｃｄｅｆであると判定した場合、Ｓ３０９の処理に進む。ＣＰＵ１１１は、Ｓ３０７で取得した近接通信モジュール１６２が発信する情報に含まれるＵＵＩＤが、０ｘ１２３４５６７８９ａｂｃｄｅｆでないと判定した場合、Ｓ３０４の処理に進む。
Ｓ３０９において、ＣＰＵ１１１は、Ｓ３０６で近接通信モジュール１６２から受信した電波の電波強度が設定された閾値以上か否かを判定する。本実施形態では、設定された閾値は６７％であるとする。ＣＰＵ１１１は、Ｓ３０６で近接通信モジュール１６２から受信した電波の電波強度が設定された閾値以上であると判定した場合、Ｓ３１０の処理に進む。ＣＰＵ１１１は、Ｓ３０６で近接通信モジュール１６２から受信した電波の電波強度が設定された閾値以上ではないと判定した場合、Ｓ３０４の処理に進む。
携帯端末装置１０１を携帯したユーザは、画像形成装置１０２に十分近づいた際に、携帯端末装置１０１に設定されている表示設定情報を画像形成装置１０２に設定させたいものとする。そのため、ＣＰＵ１１１は、近接通信モジュール１６２から受信した電波の電波強度がある程度強くなってから（本実施形態では６７％以上になってから）、表示設定情報の設定処理をすることとする。
【００３６】
Ｓ３１０において、ＣＰＵ１１１は、Ｓ３０７で取得した情報から、通信先のＩＰアドレスを取得する。本実施形態では、ＣＰＵ１１１は、通信先のＩＰアドレスとして１９２．１６８．０．２７を取得する。
Ｓ３１１において、ＣＰＵ１１１は、Ｓ３１０で取得した通信先アドレスに対して表示設定情報のデータを含む表示設定ジョブを送信する。図８（Ａ）は、ＣＰＵ１１１が送信する表示設定情報データ８１０を示す。表示設定情報データ８１０は、タグ形式で、タグを設定項目キー、そのキーに対する設定値をタグで囲まれた値であるとして表現されている。なお、表示設定情報データは、設定項目と設定値が表現できれば他の形式でもよい。
【００３７】
表示設定情報データ８１０中の＜ａｃｃｅｓｓｉｂｌｉｔｙｊｏｂ＞、＜／ａｃｃｅｓｓｉｂｌｉｔｙｊｏｂ＞は、表示制御に関するジョブであることを示すタグである。＜ｔｙｐｅ＞、＜／ｔｙｐｅ＞は、表示制御ジョブの種別を示すタグであり、対応する値はａｃｃｅｓｓｉｂｉｌｉｔｙｓｅｔｔｉｎｇｓである。ａｃｃｅｓｓｉｂｉｌｉｔｙｓｅｔｔｉｎｇｓの値は、表示設定情報の設定処理を行うジョブであることを示している。＜ｒｅｖｅｒｓｅｃｏｌｏｒ＞、＜／ｒｅｖｅｒｓｅｃｏｌｏｒ＞のタグは、「色を反転する」の設定に対応し、対応する値はｔｒｕｅである。
＜ｃｈａｒｓｉｚｅ＞、＜／ｃｈａｒｓｉｚｅ＞のタグは、「文字の大きさ」の設定に対応し、対応する値は１５０である。＜ｎｏｔｉｆｙｂｙｌｅｄ＞、＜／ｎｏｔｉｆｙｂｙｌｅｄ＞のタグは、「ＬＥＤフラッシュ通知をする」の設定に対応し、対応する値はｔｒｕｅである。＜ｅｒａｓｅｂａｃｋｉｍａｇｅ＞、＜／ｅｒａｓｅｂａｃｋｉｍａｇｅ＞のタグは、「背景画像を消す」の設定に対応し、対応する値はｔｒｕｅである。ＣＰＵ１１１は、表示設定情報データ８１０を含む表示設定ジョブを、通信先アドレスである１９２．１６８．０．２７、つまり画像形成装置１０２に送信する。
【００３８】
Ｓ３１２において、ＣＰＵ１１１は、近接通信モジュール１６２が発信する電波の電波強度が設定された閾値未満であるか否かを判定する。設定された閾値は、Ｓ３０９の処理で利用された閾値と同じでもよいし、異なる値でもよい。ＣＰＵ１１１は、近接通信モジュール１６２が発信する電波の電波強度が設定された閾値未満であると判定した場合、Ｓ３１３の処理に進む。ＣＰＵ１１１は、近接通信モジュール１６２が発信する電波の電波強度が設定された閾値未満でないと判定した場合、Ｓ３１２の処理を繰り返す。
Ｓ３１３において、ＣＰＵ１１１は、通信先である画像形成装置１０２に解除ジョブを送信する。図８（Ｂ）は、解除ジョブが含むアクセシビリティ制御アプリケーションが送信する解除データ８３０の一例を示したものである。解除データ８３０は、タグ形式で、タグを解除項目キー、そのキーに対する設定値をタグで囲まれた値であるとして表現されている。解除データ８３０中の＜ａｃｃｅｓｓｉｂｌｉｔｙｊｏｂ＞、＜／ａｃｃｅｓｓｉｂｌｉｔｙｊｏｂ＞は、表示制御に関するジョブであることを示すタグである。＜ｔｙｐｅ＞、＜／ｔｙｐｅ＞は、表示制御ジョブの種別を示すタグであり、対応する値がｃａｎｃｅｌ  ａｃｃｅｓｓｉｂｌｉｔｙである。ｃａｎｃｅｌ  ａｃｃｅｓｓｉｂｌｉｔｙは、表示設定情報の設定を元に戻すジョブであることを示している。
Ｓ３１４において、ＣＰＵ１１１は、表示操作部１１６を介したユーザの操作に基づいて、アクセシビリティ制御アプリケーションの終了の指示を受け付けたか否かを判定する。ＣＰＵ１１１は、アクセシビリティ制御アプリケーションの終了の指示を受け付けたと判定した場合、図３Ａの処理を終了する。ＣＰＵ１１１は、アクセシビリティ制御アプリケーションの終了の指示を受け付けていないと判定した場合、Ｓ３０４の処理に進む。
【００３９】
図５（Ｂ）及び図５（Ｃ）は、画像形成装置１０２の処理の一例を示すフローチャートである。本実施形態では、画像形成装置１０２の表示部４０２は、カラー表示ができ、文字の大きさの変更もでき、また背景画像を表示することもできるものとする。
Ｓ３２１において、ＣＰＵ１５２は、近接通信制御プログラム１７４を実行することで、近接通信情報を生成し、近接通信モジュール１６２を介して、生成した近接通信情報の電波発信を開始する。なお、Ｓ３２１で発信を開始する近接通信情報は、ＵＵＩＤ（０ｘ１２３４５６７８９ａｂｃｄｅｆ）、ＩＰアドレス（１９２．１６８．０．２７）を含むものとする。
Ｓ３２２において、ＣＰＵ１５２は、印刷制御プログラム１７２を実行することにより、クライアントからジョブを受信したか否かを判定する。ＣＰＵ１５２は、クライアントからジョブを受信したと判定した場合、Ｓ３２３の処理に進み、クライアントからジョブを受信していないと判定した場合、Ｓ３２２の処理を繰り返す。
【００４０】
Ｓ３２３において、ＣＰＵ１５２は、Ｓ３２２で受信したと判定されたジョブに基づいて、ジョブの種別を取得する。ＣＰＵ１５２は、クライアントからのジョブには印刷ジョブや設定ジョブ等複数の種類があるため、Ｓ３２３の処理を行う。より具体的には、ＣＰＵ１５２は、受信したジョブに含まれるタグに基づいて、判別を行い、図８で前述したように、例えばａｃｃｅｓｓｉｂｌｉｔｙｊｏｂであれば表示制御ジョブであると判別し、ジョブの種別を取得する。
Ｓ３２４において、ＣＰＵ１５２は、Ｓ３２３で取得したジョブの種別が表示設定情報に関するジョブであるか否かを判定する。ＣＰＵ１５２は、Ｓ３２３で取得したジョブの種別が表示設定情報に関するジョブであると判定した場合、Ｓ３２６の処理に進み、Ｓ３２３で取得したジョブの種別が表示設定情報に関するジョブでないと判定した場合、Ｓ３２５の処理に進む。
Ｓ３２５において、ＣＰＵ１５２は、Ｓ３２２で受信したと判定されたジョブの種類に応じた処理を行う。例えば、ＣＰＵ１５２は、印刷処理のジョブを受信した場合、印刷処理を行う。
【００４１】
Ｓ３２６において、ＣＰＵ１５２は、Ｓ３２２で受信したと判定された表示設定情報に関するジョブの種類を判定する。より具体的には、ＣＰＵ１５２は、ジョブに含まれるデータ内のｔｙｐｅタグの値がａｃｃｅｓｓｉｂｌｉｔｙｓｅｔｔｉｎｇｓである場合、ジョブを表示設定ジョブであると判定する。ＣＰＵ１５２は、ジョブに含まれるデータ内のｔｙｐｅタグの値がｃａｎｃｅｌ  ａｃｃｅｓｓｉｂｉｌｉｔｙである場合、解除ジョブであると判定する。ＣＰＵ１５２は、Ｓ３２２で受信したと判定された表示設定情報に関するジョブを表示設定ジョブであると判定した場合、Ｓ３２８の処理に進む。ＣＰＵ１５２は、Ｓ３２２で受信したと判定された表示設定情報に関するジョブを解除ジョブであると判定した場合、Ｓ３２７の処理に進む。
Ｓ３２７において、ＣＰＵ１５２は、表示部４０２を通常の表示に戻す。本実施形態では、ＣＰＵ１５２は、表示部４０２の画面を図４（Ａ）の画面に戻すことになる。
【００４２】
Ｓ３２８において、ＣＰＵ１５２は、画像形成装置１０２の表示設定情報テーブルを初期化する。図９（Ａ）は、画像形成装置１０２の表示設定情報テーブルを示す。表示設定情報テーブル９０１は、設定可能項目を表す列９０２、設定変換を表す列９１０及びその設定値を表す列９０３を含む。ＣＰＵ１５２は、画像形成装置１０２において設定できる設定項目に対応する列を含むテーブルを、予め作成している。
設定可能項目を表す列９１０の要素としては、ｒｅｖｅｒｓｅｃｏｌｏｒ、ｃｈａｒｓｉｚｅ、ｎｏｔｉｆｙｂｙｌｅｄ、ｅｒａｓｅｂａｃｋｉｍａｇｅがある。また、列９１０は、携帯端末装置１０１から受信したら表示設定情報データ８１０のうち、値の変換が必要か否かをｔｒｕｅ、ｆａｌｓｅで示している。列９１０の値がｔｒｕｅの場合、対応する設定可能項目については、設定値の変換が必要となる。表示設定情報テーブル９０１において、ｃｈａｒｓｉｚｅは、変換が必要な設定項目となっている。表示設定情報データ８１０において、文字の大きさは、１５０％などと相対値で指定される。一方で画像形成装置１０２内では文字の大きさは、絶対値であるポイントで保持されている。そのため、表示設定情報データ８１０における文字の大きさの指定は、変換が必要となる。
表示設定情報テーブル９０１は、デフォルトの画面表示に合わせた設定値で初期化される。すなわち、表示設定情報テーブル９０１は、ｒｅｖｅｒｓｅｃｏｌｏｒがｆａｌｓｅ、ｃｈａｒｓｉｚｅが１００（％）、ｎｏｔｉｆｙｂｙｌｅｄがｆａｌｓｅ、ｅｒａｓｅｂａｃｋｉｍａｇｅがｆａｌｓｅであるとして、初期化される。
【００４３】
Ｓ３２９において、ＣＰＵ１５２は、Ｓ３２２で受信した判定されたジョブに含まれる表示設定情報データ８１０内に処理していない設定項目があるか否かを判定する。ＣＰＵ１５２は、Ｓ３２２で受信したと判定されたジョブに含まれる表示設定情報データ８１０内に処理していない設定項目があると判定した場合、Ｓ３３０の処理に進む。ＣＰＵ１５２は、Ｓ３２２で受信したと判定されたジョブに含まれる表示設定情報データ８１０内に処理していない設定項目がないと判定した場合、Ｓ３５１の処理に進む。
Ｓ３３０において、ＣＰＵ１５２は、表示設定情報データ８１０から設定項目及び対応する設定値を一つ取得する。ＣＰＵ１５２は、ｒｅｖｅｒｓｅｃｏｌｏｒの設定項目を取得し、設定値としてｔｒｕｅを取得したとする。
Ｓ３３１において、ＣＰＵ１５２は、Ｓ３３０で取得した設定項目が表示部４０２に設定する設定項目であるか否かを判定する。より具体的には、ＣＰＵ１５２は、表示設定情報テーブル９０１の設定可能項目にｒｅｖｅｒｓｅｃｏｌｏｒが存在するかどうかを確認する。ＣＰＵ１５２は、表示設定情報テーブル９０１の設定可能項目にｒｅｖｅｒｓｅｃｏｌｏｒが存在する場合、ｒｅｖｅｒｓｅｃｏｌｏｒの設定項目を表示部４０２に設定する設定項目であると判断する。
【００４４】
Ｓ３３２において、ＣＰＵ１５２は、Ｓ３３０で取得した設定項目が表示部４０２にそのまま設定する設定項目であるか否かを判定する。ＣＰＵ１５２は、Ｓ３３０で取得した設定項目が表示部４０２にそのまま設定する設定項目であると判定した場合、Ｓ３３４の処理に進む。ＣＰＵ１５２は、Ｓ３３０で取得した設定項目が表示部４０２にそのまま設定する設定項目でないと判定した場合、Ｓ３３３の処理に進む。
表示設定情報テーブル９０１のｒｅｖｅｒｓｅｃｏｌｏｒに対応する設定変換の値は、ｆａｌｓｅである。そのため、ＣＰＵ１５２は、ｒｅｖｅｒｓｅｃｏｌｏｒの設定項目に、Ｓ３３０で取得した設定値をそのまま設定する。
また、ＣＰＵ１５２は、Ｓ３３０でｃｈａｒｓｉｚｅの設定項目を取得した場合、以下のようになる。表示設定情報テーブル９０１のｃｈａｒｓｉｚｅの設定項目に対応する設定変換の値がｔｒｕｅであるため、ＣＰＵ１５２は、ｃｈａｒｓｉｚｅの設定項目に、Ｓ３３０で取得した設定値を変換した上で設定する。
【００４５】
Ｓ３３３において、ＣＰＵ１５２は、Ｓ３３０で取得した設定値の変換を行う。変換が必要な設定項目は、例えば、ｃｈａｒｓｉｚｅである。ｃｈａｒｓｉｚｅの設定値を変換する場合について説明する。表示部４０２に表示される文字サイズは、２４ポイントである。そのため、初期状態の（初期化された）表示設定情報テーブル９０１のｃｈａｒｓｉｚｅは、２４となっている。Ｓ３２２で受信された表示設定ジョブのｃｈａｒｓｉｚｅの設定値は、１５０％である。そのため、ＣＰＵ１５２は、ｃｈａｒｓｉｚｅを２４ｘ１．５＝３６のように変換する。
Ｓ３３４において、ＣＰＵ１５２は、表示設定情報テーブル９０１のＳ３３０で取得した設定項目に対応する設定値に対して、Ｓ３３３で変換した設定値を保存する。ＣＰＵ１５２は、Ｓ３３０でｃｈａｒｓｉｚｅの設定項目を取得した場合、変換後の設定値である３６を表示設定情報テーブル９０１のｃｈａｒｓｉｚｅに保存することになる。他の設定項目についても同様にＳ３２９からＳ３３４の処理を繰り返す。すべての設定項目についてＳ３２９〜Ｓ３３４の処理が完了すると、表示設定情報テーブル９０１は、図９（Ｂ）のようになる。
【００４６】
Ｓ３５１、Ｓ３５２において、ＣＰＵ１５２は、操作部制御プログラム１７３を実行することにより、表示設定情報テーブル９０１でデフォルトの値から変更する必要のある設定項目が一以上あるか否かを判定する。ＣＰＵ１５２は、表示設定情報テーブル９０１でデフォルトの値から変更する必要のある設定項目が一以上あると判定した場合、Ｓ３５３の処理に進む。ＣＰＵ１５２は、表示設定情報テーブル９０１でデフォルトの値から変更する必要のある設定項目が一以上ないと判定した場合、Ｓ３２２の処理に進む。
Ｓ３５３において、ＣＰＵ１５２は、表示設定情報テーブル９０１に基づいて、表示部４０２の表示に設定されている表示設定情報を設定する。例えば、表示部４０２が通常画面であるとして、表示設定情報テーブル９０１に含まれる表示設定情報を設定した場合、表示部４０２に表示される画面は、図４（Ｂ）のような画面となる。
なお、「ＬＥＤフラッシュ通知をする」の設定項目について説明する。「ＬＥＤフラッシュ通知をする」の設定項目は、携帯端末装置１０１において、何か通知があるときに携帯端末装置１０１が具備しているＬＥＤ（発光ダイオード）により視覚的に通知を行うか否かに関する設定項目である。携帯端末装置１０１のＬＥＤフラッシュによる通知機能は、画像形成装置１０２、１０３には具備されていないとする。そのため、画像形成装置１０２、１０３は、ＬＥＤフラッシュにより通知する代わりに、表示部４０２の画面を数回反転表示することにより通知するものとする。
【００４７】
Ｓ３５４において、ＣＰＵ１５２は、時間計測部１７５を介して、期間計測を開始する。ＣＰＵ１５２は、設定された閾値以上の期間操作がない場合、表示部４０２の画面表示に設定されている表示設定情報を元に戻す処理を行う。そのため、ＣＰＵ１５２は、時間計測処理を行い、操作が為されていない期間を計測する。
Ｓ３５５において、ＣＰＵ１５２は、操作部１５７を介したユーザの操作が行われたか否かを判定する。ＣＰＵ１５２は、操作部１５７を介したユーザの操作が行われたと判定した場合、Ｓ３５６の処理に進み、操作部１５７を介したユーザの操作が行われていないと判定した場合、Ｓ３５７の処理に進む。
【００４８】
Ｓ３５６において、ＣＰＵ１５２は、時間計測部１７５を介して計測している期間をクリアする。
Ｓ３５７において、ＣＰＵ１５２は、時間計測部１７５を介して計測している期間、即ち、操作部１５７に対してユーザによる操作がない期間が設定された閾値以上であるか否か判定する。ＣＰＵ１５２は、時間計測部１７５を介して計測している期間が設定された閾値以上であると判定した場合、Ｓ３５８の処理に進む。ＣＰＵ１５２は、時間計測部１７５を介して計測している期間が設定された閾値未満であると判定した場合、Ｓ３５５の処理に進む。
Ｓ３５８において、ＣＰＵ１５２は、表示部４０２の画面表示に設定されている表示設定情報を元に戻し、Ｓ３２２の処理に進む。
【００４９】
画像形成装置１０３の処理の一例は、図５（Ｂ）及び図５（Ｃ）のフローチャートと同様である。画像形成装置１０３に接続されている操作部の表示部は、文字の大きさの変更はできるが、カラー表示ができず、モノクロ表示のみ可能であり、また背景画像の表示はできないものとする。画像形成装置１０３による図５（Ｂ）及び図５（Ｃ）のフローチャートの処理において、画像形成装置１０２による処理と異なる部分について説明する。
Ｓ３２７において、画像形成装置１０３のＣＰＵは、画像形成装置１０３に接続されている操作部の表示部の画面を、通常の画面に戻すことになる。しかし、画像形成装置１０３における通常の画面は、図４（Ａ）とは異なり、モノクロ表示であり、背景画像も表示されない。
【００５０】
Ｓ３２８において、画像形成装置１０３のＣＰＵは、画像形成装置１０３の表示設定情報テーブルを初期化する。図９（Ｃ）は、画像形成装置１０３の表示設定情報テーブルを示す。表示設定情報テーブル９４１は、設定可能項目を表す列９４２、設定変換を表す列９５０及びその設定値を表す列９４３を含む。画像形成装置１０３のＣＰＵは、画像形成装置１０３において設定できる表示設定情報についての設定項目に関する列を含むテーブルを、予め作成している。
設定可能項目を表す列９４２の要素としては、ｃｈａｒｓｉｚｅ、ｎｏｔｉｆｙｂｙｌｅｄがある。また、列９５０は、携帯端末装置１０１から受信したら表示設定データのうち、値の変換が必要か否かをｔｒｕｅ、ｆａｌｓｅで示している。列９５０の値がｔｒｕｅの場合、対応する設定可能項目については、設定値の変換が必要となる。表示設定情報テーブル９４１においてｃｈａｒｓｉｚｅの設定項目は、変換が必要な設定項目となっている。表示設定情報データにおいて、文字の大きさは、１５０％などと相対値で指定される。一方で画像形成装置１０３内では文字の大きさは、絶対値であるポイントで保持されている。そのため、表示設定情報データにおける文字の大きさの指定は、変換が必要となる。
【００５１】
Ｓ３３１において、画像形成装置１０３のＣＰＵは、Ｓ３３０で取得した設定項目の設定が画像形成装置１０３に接続されている操作部の画面に設定する設定項目であるか否かを判定する。表示設定情報テーブル９４１の設定可能項目の列９４２にｒｅｖｅｒｓｅｃｏｌｏｒはない。そのため、Ｓ３３０で取得した設定項目の設定がｒｅｖｅｒｓｅｃｏｌｏｒである場合、画像形成装置１０３のＣＰＵは、以下の処理を行う。即ち、画像形成装置１０３のＣＰＵは、Ｓ３３０で取得した設定項目に対応する設定が画像形成装置１０３に接続されている操作部の表示部に設定する設定項目ではないと判定し、Ｓ３２９の処理に進む。
Ｓ３３４において、画像形成装置１０３のＣＰＵは、Ｓ３３０で取得した設定項目の設定に対して、Ｓ３３３で変換した設定値を保存する。画像形成装置１０３のＣＰＵは、Ｓ３３０でｃｈａｒｓｉｚｅの設定項目を取得した場合、変換後の設定値である３６を表示設定情報テーブル９４１のｃｈａｒｓｉｚｅに保存することになる。他の表示設定項目についても同様にＳ３２９からＳ３３４の処理を繰り返す。すべての設定項目についてＳ３２９〜Ｓ３３４の処理が完了すると、表示設定情報テーブル９４１は、図９（Ｄ）のようになる。
【００５２】
以上、図３Ａ〜Ｃの処理により、ユーザが携帯する携帯端末装置１０１のＣＰＵ１１１は、アクセシビリティ制御アプリケーションを実行することで、表示設定情報の設定処理を行う。ユーザに携帯され携帯端末装置１０１が画像形成装置１０２、１０３に近接した場合、ＣＰＵ１５２は、表示部４０２の画面をそのユーザに合わせた画面に変更することができる。
【００５３】
次に、表示部４０２に表示される画面の具体的な画面表示例を以下に説明する。
図１０（Ａ）は、画像形成装置１０２の表示部４０２の表示画面等の一例を示す図である。表示部４０２の画面に設定されている表示設定情報には、図１０（Ｂ）に示す通り、「背景画像を消す」の設定項目の設定値がＯＮ、「色を反転する」の設定項目の設定値がＯＮ、「文字の大きさ」の設定項目の設定値がそのままという値が指定されているものとする。確認画面１００１は、携帯端末装置１０１から指定された表示設定情報に従った表示内容となっている。また、確認画面１００１は、今後の画面操作においても、この設定内容のままでよいかどうかを利用者に問い合わせるメッセージ１００４を含む。
画面表示例１００３は、画面全体の画面表示例をひとまわり小さく表示したものである。ユーザは、画面表示例１００３の表示内容でよいと判断した場合、操作部１５７を介して「ＯＫ」ボタン１００６を押下することとなる。「ＯＫ」ボタン１００６が押下された場合、今後の画面操作において表示される画面は、携帯端末装置１０１からの指定に従った表示内容となる。
一方、ユーザは、画面表示例１００３の表示内容に対し、表示設定情報の設定項目の設定値や他の設定項目の設定値を調整したい場合、「調整する」ボタン１００５を押下することになる。ＣＰＵ１５２は、「調整する」ボタン１００５の押下を検知した場合、表示部４０２に、図１１に示す調整画面を表示する。
【００５４】
図１２のフローチャートを用いて、本実施形態における表示部４０２における画面表示処理を説明する。図１２の例では、携帯端末装置１０１が表示設定情報設定する対象の装置は、画像形成装置１０２であるとするが、画像形成装置１０３であってもよい。
Ｓ１２０１において、ＣＰＵ１５２は、確認画面１００１を表示部４０２に表示する。そして、ＣＰＵ１５２は、携帯端末装置１０１から指定された表示設定情報を設定した通常画面を縮小表示した画面表示例１００３を確認画面１００１内に表示し、画面表示例１００３の画面表現でよいかどうかをユーザに問い合わせる。より具体的には、ＣＰＵ１５２は、メッセージ１００４、「調整する」ボタン１００５、「ＯＫ」ボタン１００６を操作部１５７に表示することで、ユーザへの問い合わせを行う。ＣＰＵ１５２は、確認画面１００１を表示部４０２に表示する前まで、表示部４０２にデフォルトの表示設定情報に基づく表示画面を表示しているものとする。
ＣＰＵ１５２は、「調整する」ボタン１００５の押下を検知した場合、Ｓ１２０２の処理に進み、「ＯＫ」ボタン１００６の押下を検知した場合、Ｓ１２０５の処理に進む。
【００５５】
Ｓ１２０２において、ＣＰＵ１５２は、図１１に示される項目選択画面１１０１を操作部１５７に表示する。携帯端末装置１０１からの表示設定情報の指定が「色を反転する」の設定項目の設定値をＯｎにするものであるため、ＣＰＵ１５２は、「色を反転する」の設定項目の設定値を変更する必要がない。そのため、ＣＰＵ１５２は、「色を反転する」以外の変更候補の設定項目を表示している。項目選択画面１１０１は、項目選択画面の一例である。
図１１の例では、項目選択画面１１０１は、３パターンの変更候補の設定を表示している。画面表示例１１１０は、拡大に関する設定項目を調整する際に選択される。タイトル１１１１は、画面表示例１１１０が選択された際に調整される設定項目を示す。ＣＰＵ１５２は、画面表示例１１１０、及びタイトル１１１１における文字やアイコン等を、「文字の大きさ」の設定値が「そのまま」である場合に比べて、大きめに表示する。ＣＰＵ１５２は、画面表示例１１１０、及びタイトル１１１１における文字等を、画面表示例１１１２、画面表示例１１１４やタイトル１１１３、タイトル１１１５と比較して、大きめに表示する。
画面表示例１１１２は、コントラストに関する設定項目を調整する際に選択される。タイトル１１１３は、画面表示例１１１２が選択された際に調整される設定項目を示す。画面表示例１１１２及びタイトル１１１３の表示は、画面表示例１１１０やタイトル１１１１等と比べて、コントラストが高い表示となっている。画面表示例１１１４は、色調に関する設定項目を調整する際に選択される。タイトル１１１５は、画面表示例１１１４が選択された際に調整される設定内容を示す。画面表示例１１１２及びタイトル１１１３の表示は、画面表示例１１１０やタイトル１１１１等と比べて、色調の異なる表示となっている。
【００５６】
ＣＰＵ１５２は、画面表示例１１１０、１１１２、１１１４のうち何れか一つの押下を検知した場合、押下を検知した画面表示例を強調表示し、押下された画面表示例を選択状態であるとする。
なお、画面表示例１１１０、１１１２、１１１４及びタイトル１１１１、１１１３、１１１５における文字等の表示に関する表示設定情報は、「文字の大きさ」の設定項目以外の設定項目について、画面表示例１００３の場合と同様である。このように、Ｓ１２０２で表示される項目選択画面１１０１に表示される画面表示例、及びタイトルは、それぞれの画面表示例に対応する設定項目の設定値を除き、画面表示例１００３に対応する表示設定情報と同様である。例えば、画面表示例１１１０に対応する表示設定情報は、「文字の大きさ」の設定項目以外の設定項目の設定値が、携帯端末装置１０１から指定された表示設定情報と同様となる。
【００５７】
Ｓ１２０３において、ＣＰＵ１５２は、「ＯＫ」ボタン１１０３の押下を検知した場合、操作部１５７に、選択状態である画面表示例に対応する設定項目の調整に利用される画面を表示する。一方、ＣＰＵ１５２は、「キャンセル」ボタン１１０４の押下を検知した場合、操作部１５７に確認画面１００１を表示する。本実施形態では、ＣＰＵ１５２は、「ＯＫ」ボタン１１０３の押下を検知し、表示部４０２に、選択状態である画面表示例１１１０に対応する拡大に関する設定項目の調整に利用される図１３の画面を表示するものとする。図１３の表示詳細選択画面１３０１は、選択画面の一例である。
図１３は、Ｓ１２０２で「拡大」の画面表示例１１１０が選択され、「ＯＫ」ボタン１１０３が押下された後に、表示される拡大率の調整に利用される表示詳細選択画面１３０１である。画面表示例１３１０は、「文字の大きさ」の設定項目の設定値を２５％拡大する際に選択される。画面表示例１３１０、及びタイトル１３１１における文字等は、「文字の大きさ」の設定値が「そのまま」の場合に比べて、２５％拡大して表示される。画面表示例１３１２は、「文字の大きさ」の設定値を５０％拡大する際に選択される。ＣＰＵ１５２は、画面表示例１３１２、及びタイトル１３１３における文字等を、「文字の大きさ」の設定値が「そのまま」の場合に比べて、５０％拡大して表示する。
【００５８】
なお、画面表示例１３１０、１３１２及びタイトル１３１１、１３１３における文字等の表示に関する表示設定情報は、「文字の大きさ」の設定項目以外の設定項目について、画面表示例１００３の場合と同様である。このように、Ｓ１２０３で表示される表示詳細選択画面に表示される画面表示例、及びタイトルは、表示詳細選択画面に対応する設定項目の設定値を除き、画面表示例１００３に対応する表示設定情報と同様である。例えば、画面表示例１３１０は、「文字の大きさ」の設定項目の設定値が２５％拡大であり、他の設定項目の設定値が携帯端末装置１０１から指定された表示設定情報と同様である表示設定情報を表していることとなる。
【００５９】
画面表示例１３１４は、「文字の大きさ」の設定値を７５％拡大する際に選択される。ＣＰＵ１５２は、画面表示例１３１４、及びタイトル１３１５における文字等を、「文字の大きさ」の設定値が「そのまま」の場合に比べて、７５％拡大して表示する。画面表示例１３１６は、「文字の大きさ」の設定値を１００％拡大する際に選択される。ＣＰＵ１５２は、画面表示例１３１６、及びタイトル１３１７における文字等を、「文字の大きさ」の設定値が「そのまま」の場合に比べて、１００％拡大して表示する。
【００６０】
ＣＰＵ１５２は、画面表示例１３１０、１３１２、１３１４、１３１６のうち何れか一つの押下を検知した場合、押下を検知した画面表示例を強調表示し、押下された画面表示例を選択状態であるとする。
本実施形態では、ＣＰＵ１５２は、Ｓ１２０２で項目選択画面１１０１を表示し、Ｓ１２０３で項目選択画面１１０１を介して選択された設定項目に関する表示詳細選択画面１３０１を表示することとした。しかし、ＣＰＵ１５２は、項目選択画面１１０１を表示することなく、全ての設定項目それぞれについての複数の選択候補の画面表示例を含むようにした表示詳細選択画面１３０１を表示することもできる。その場合、ＣＰＵ１５２は、表示詳細選択画面１３０１を介して選択された詳細な表示設定情報を表示部４０２の表示に設定することとなる。
【００６１】
Ｓ１２０４において、ＣＰＵ１５２は、「ＯＫ」ボタン１３０３の押下を検知した場合、選択状態である画面表示例に対応する拡大率で「文字の大きさ」の設定値を拡大する。それにより、ＣＰＵ１５２は、ユーザが視覚的により見やすい画面を表示することができる。一方、ＣＰＵ１５２は、「キャンセル」ボタン１３０４の押下を検知した場合、表示部４０２に項目選択画面１１０１を表示する。
また、ＣＰＵ１５２は、画像形成装置１０２に音声ガイドが指定されている等の場合、騒音対策として、Ｓ１２０４で「ＯＫ」ボタン１３０３の押下を検知したら、以下の処理を行うこととしてもよい。即ち、ＣＰＵ１５２は、本当に表示設定情報の設定を行うかどうかを決定するための決定確認画面を表示部４０２に表示してもよい。例えば、決定確認画面は、「ＯＫ」ボタンと「キャンセル」ボタンとを含むものであるとする。ＣＰＵ１５２は、決定確認画面の「ＯＫ」ボタンの押下を検知した場合、表示設定情報の設定を行う。
【００６２】
Ｓ１２０５において、ＣＰＵ１５２は、時間計測部１７５を介して、期間計測を開始する。閾値以上の期間、操作部１５７に対して操作がない場合、ＣＰＵ１５２は、表示部４０２の画面を元に戻すこととなる。
Ｓ１２０６において、ＣＰＵ１５２は、操作部１５７を介したユーザによる操作が為されたか否かを判定する。ＣＰＵ１５２は、操作部１５７を介したユーザによる操作が為されたと判定した場合、Ｓ１２０７の処理に進み、操作部１５７を介したユーザによる操作が為されていないと判定した場合、Ｓ１２０８の処理に進む。
Ｓ１２０７において、ＣＰＵ１５２は、時間計測部１７５を介して計測している期間をクリアする。
【００６３】
Ｓ１２０８において、ＣＰＵ１５２は、時間計測部１７５を介して計測している期間、即ち操作部１５７に対してユーザ操作がない期間が設定された閾値以上であるか否かを判定する。ＣＰＵ１５２は、時間計測部１７５を介して計測している期間が設定された閾値以上であると判定した場合、Ｓ１２０９の処理に進み、時間計測部１７５を介して計測している期間が設定された閾値未満であると判定した場合、Ｓ１２０６の処理に進む。
Ｓ１２０９において、ＣＰＵ１５２は、表示部４０２の画面表示を元のデフォルトの表示設定情報に基づく一般表示に戻す。ＣＰＵ１５２は、表示部４０２が表示している画面に現在設定されている表示設定情報を解除する解除ボタン等を用意し、解除ボタンの押下に応じて、表示部４０２の画面表示を元の一般表示に戻すようにしてもよい。
【００６４】
本実施形態では、Ｓ１２０２において、ＣＰＵ１５２は、「色を反転する」の設定項目以外の変更候補の設定項目のそれぞれに対応する画面表示例を、項目選択画面１１０１に表示している。
本実施形態では、外部メモリ１７１は、視覚障がいを持つユーザにとって表示部４０２の画面を見やすい画面にするための表示設定情報を、各種視覚障がいごとに保存しているものとする。また、外部メモリ１７１は、各種視覚障がいを持つ者の人口の情報を保存しているものとする。ＣＰＵ１５２は、外部メモリ１７１が保存する各種視覚障がいごとの表示設定情報と各種視覚障がいを持つ者の人口の情報とに基づいて、以下の処理を行うことができる。即ち、ＣＰＵ１５２は、各種視覚障がいのそれぞれに対応する表示設定情報を、持つ者の人口が多いものから順番に設定された数（例えば４個）取得し、取得した表示設定情報を示す画面表示例を表示詳細選択画面１３０１等に表示することができる。
【００６５】
また、ＣＰＵ１５２は、項目選択画面１１０１、表示詳細選択画面１３０１に、携帯端末装置１０１から指定された表示設定情報に対して調整可能な設定項目に対応する画面表示例を表示してもよい。例えば、外部メモリ１７１が各設定項目の優先順位の情報を保存しているとする。ＣＰＵ１５２は、外部メモリ１７１に保存されている各設定項目の優先順位の情報に基づいて、項目選択画面１１０１、表示詳細選択画面１３０１に、対応する設定項目の優先順位の高い順に画面表示例を表示してもよい。
更に、ＣＰＵ１５２は、項目選択画面１１０１、表示詳細選択画面１３０１に、過去に表示された画面表示例のうち、新しいものから順に設定された数（例えば４個）の画面表示例を新しいものから順に表示することとしてもよい。
更に、一つの画面で表示できない数の画面表示例を表示する必要がある場合、ＣＰＵ１５２は、項目選択画面１１０１、又は表示詳細選択画面１３０１の「キャンセル」ボタンと「ＯＫ」ボタンとの間に、「次へ」ボタンを用意するようにしてもよい。まず、ＣＰＵ１５２は、項目選択画面１１０１、又は表示詳細選択画面１３０１に一つの画面で表示できる数の画面表示例を表示する。次に、ＣＰＵ１５２は、「次へ」ボタンの押下に応じて、残りの画面表示例を項目選択画面１１０１、又は表示詳細選択画面１３０１に表示することとなる。
【００６６】
ＣＰＵ１５２は、携帯端末装置１０１から受信した表示設定情報に含まれていない設定項目を、調整の必要がない設定項目であるとして特定し、残りの設定項目を画像形成装置１０２に設定可能な設定項目として特定することができる。その場合、ＣＰＵ１５２は、携帯端末装置１０１からの表示設定情報を設定することとし、他の設定項目の設定値を調整することで表示部４０２の画面の見やすさを調整することとなる。
また、ＣＰＵ１５２は、逆に、携帯端末装置１０１から受信した表示設定情報に含まれている設定項目を、調整の必要がない設定項目であるとして特定し、残りの設定項目を画像形成装置１０２に設定可能な設定項目として特定してもよい。その場合、ＣＰＵ１５２は、携帯端末装置１０１から指定された表示設定情報に含まれる設定項目を調整することで表示部４０２の画面の見やすさを調整することとなる。
【００６７】
ＣＰＵ１５２は、調整の必要がない設定項目に対応する画面表示例及びタイトルを、項目選択画面１１０１、表示詳細選択画面１３０１に表示しないこととしてもよい。また、ＣＰＵ１５２は、項目選択画面１１０１、表示詳細選択画面１３０１内の画像形成装置１０２に設定可能な設定項目に対応する画面表示例以外の画面表示例をグレーアウト表示等にして選択不可にすることとしてもよい。
ＣＰＵ１５２は、携帯端末装置１０１から受信した表示設定情報に含まれる設定項目の設定値を画像形成装置１０２に設定することが許可されていない場合、以下の処理を行うこととしてもよい。即ち、ＣＰＵ１５２は、Ｓ１２０４で、選択可能な設定値の中で、その設定項目に対して指定されている設定値との差分が最も小さい設定値を設定するようにしてもよい。
例えば、ＣＰＵ１５２は、「文字の大きさ」の設定項目に対して２１％拡大が指定されている場合、以下の処理を行う。即ち、ＣＰＵ１５２は、「文字の大きさ」の設定項目に対して選択できる設定値である２５％拡大、５０％拡大７５％拡大、１００％拡大のうち、２１％拡大と最も差分が小さい２５％拡大を設定することになる。
【００６８】
また、ＣＰＵ１５２は、表示詳細選択画面１３０１に対して、選択可能な設定値の中で、その設定項目に対して指定されている設定値との差分が最も小さい二つの設定値に対応する画面表示例を表示することとしてもよい。それにより、ＣＰＵ１５２は、調整する設定項目をユーザに選択させることができる。
例えば、ＣＰＵ１５２は、「文字の大きさ」の設定項目に対して３６％拡大が指定されており、選択できる設定値が２５％拡大、５０％拡大、７５％拡大、１００％拡大である場合、以下の処理を行う。即ち、ＣＰＵ１５２は、「文字の大きさ」の設定項目に対して、３６％拡大と最も差分が小さい２５％拡大と５０％拡大とに対応する画面表示例を表示詳細選択画面１３０１に表示することになる。表示詳細選択画面１３０１に表示される画面表示例に対応する表示設定情報の「文字の大きさ」の設定項目以外の設定項目の設定値は、携帯端末装置１０１から指定された表示設定情報と同様である。
【００６９】
以上、本実施形態の処理により、ＣＰＵ１５２は、表示部４０２を視覚障がい者にとって見えやすくすることができる。
【００７０】
＜実施形態２＞
本実施形態の印刷システムのシステム構成、及び各システム構成要素のハードウェア構成等の詳細は、実施形態１と同様である。本実施形態の処理は、実施形態１の図１２の処理と同様であるが、携帯端末装置１０１から指定される表示設定情報の内容が異なる。そのため、Ｓ１２０１において、ＣＰＵ１５２は、確認画面１００１を表示するのではなく、図１４の画面１４０１を表示することになる。
【００７１】
図１４（Ａ）は、画像形成装置１０２の表示部４０２の表示画面等の一例を示す図である。図１４（Ｂ）は、携帯端末装置１０１から指定された設定の内容を示す。画像形成装置１０２の表示部４０２の画面に関する表示設定情報には、「背景画像を消す」の設定項目の設定値がＯＮ、「色を反転する」の設定項目の設定値がＯＦＦ、「文字の大きさ」の設定項目の設定値が一段階（２５％）拡大、という値が指定されている。
画面１４０１は、携帯端末装置１０１からの表示設定情報に従った表示内容を表しており、今後の画面操作でも画面１４０１の表示設定情報に基づく画面表示でよいかどうかを利用者に問い合わせるメッセージ１４０４を含む。画面表示例１４０３は、画面１４０１の設定における通常画面の画面全体の画面表示例をひとまわり小さく表示した画面表示例である。ユーザは、画面表示例１４０３の設定内容でよいと判断した場合、「ＯＫ」ボタン１４０６を押下する。それにより、ＣＰＵ１５２は、今後の画面操作でも画面１４０１の表示設定情報に基づいて、表示部４０２に画面表示を行うことになる。一方、ＣＰＵ１５２は、「調整する」ボタン１４０５が押下を検知すると、画面表示例１４０３の設定を調整するために、図１５に示す項目選択画面１５０１を表示部４０２に表示する。
【００７２】
Ｓ１２０１において、ＣＰＵ１５２は、「調整する」ボタン１４０５の押下を検知した場合、Ｓ１２０２に移る。
Ｓ１２０２において、ＣＰＵ１５２は、項目選択画面１５０１を表示する。項目選択画面１５０１は、携帯端末装置１０１から「文字の大きさ」を１段階拡大することが指定されていたため、文字の大きさが２５％拡大された表示となっている。項目選択画面１５０１は、「文字の大きさ」の設定項目以外の選択候補の設定項目に対応する画面表示例を含む。画面表示例１５１０は、反転指定の設定に対応する画面表示例である。タイトル１５１１は、画面表示例１５１０に対応する設定を示す。画面表示例１５１０、及びタイトル１５１１は、色を反転して表示することを表している。画面表示例１５１２、及びタイトル１５１３は、「コントラスト」の設定項目の設定値の変更に利用される画面表示例、及びタイトルである。画面表示例１５１２、及びタイトル１５１３の表示は、画面表示例１４０３と比較するとコントラストが高い表示となっている。
画面表示例１５１４、及びタイトル１５１５は、「色調」の設定項目の設定値の変更に利用される画面表示例及びタイトルである。画面表示例１５１４、及びタイトル１５１５の表示は、カラーの画面である場合、画面表示例１４０３と比べて、色調を変えた表示となっている。
【００７３】
＜実施形態３＞
本実施形態の印刷システムのシステム構成、及び各システム構成要素のハードウェア構成等の詳細は、実施形態１と同様である。本実施形態の処理は、実施形態１の図１２の処理と同様である。
本実施形態では、実施形態１の図１１で「コントラスト」に対応する画面表示例１１１２が選択されたケースを説明する。ＣＰＵ１５２は、Ｓ１２０２で、画面表示例１１１２が選択された場合、Ｓ１２０３で表示部４０２に図１６の表示詳細選択画面１６０１を表示する。本実施形態では、アクセシビリティ制御アプリケーションのコントラストは、設定値として０が指定されているとする。
【００７４】
画面表示例１６１０は、コントラストを２５％にする際に選択される。タイトル１６１１は、画面表示例１６１０に対応するコントラストを示す。画面表示例１６１２は、コントラストを４０％にする際に選択される。タイトル１６１３は、画面表示例１６１２に対応するコントラストを示す。画面表示例１６１４は、コントラストを７０％にする際に選択される。タイトル１６１５は、画面表示例１６１４に対応するコントラストを示す。画面表示例１６１７は、コントラストを１００％にする際に選択される。タイトル１６１６は、画面表示例１６１７に対応するコントラストを示す。
ＣＰＵ１５２は、操作部１５７を介したユーザの操作に基づいて、画面表示例１６１０、１６１２、１６１４、１６１７のうち何れか一つが押下された場合、押下された画面表示例を強調表示し、押下された画面表示例を選択状態であるとする。ＣＰＵ１５２は、「ＯＫ」ボタン１６０３が押下された場合、選択状態の画面表示例に対応するコントラストで表示部４０２の表示画面を表示する。
【００７５】
＜実施形態４＞
本実施形態では、実施形態２のＳ１２０２で、「色調」の画面表示例１５１４が選択されたケースを説明する。携帯端末装置１０１は、「色調」の設定を０（又は、設定なし）として指定しているとする。
Ｓ１２０３において、ＣＰＵ１５２は、図１７の表示詳細選択画面１７０１を表示部４０２に表示する。画面表示例１７１０、及びタイトル１７１１は、文字やアイコンを白黒で表示する設定項目を表している。画面表示例１７１２、及びタイトル１７１３は、緑色の識別が難しい色覚障がい者（Ｄ型）用の設定項目を表している。画面表示例１６１４、及びタイトル１６１５は、赤色の識別が難しい色覚障がい者（Ｐ型）用の設定項目を表している。そして、画面表示例１６１７、及び１６１６は、文字やアイコンを反転して表示する設定項目を表している。ＣＰＵ１５２は、変更したい色調の設定に対応する画面表示例が選択されたのち、「ＯＫ」ボタン１７０３の押下を検知することで、選択された画面表示例に対応する表示設定情報に基づいて、表示部４０２に画面の表示を行う。
【００７６】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読み出し実行する処理でも実現可能である。また、１以上の機能を実現する回路（例えば、ＡＳＩＣ）によっても実現可能である。
【符号の説明】
【００７７】
１０１  携帯端末装置、１０２  画像形成装置、１５２  ＣＰＵ
【図１Ａ】
2016203592.tif 000003
【図１Ｂ】
2016203592.tif 000004
【図１Ｃ】
2016203592.tif 000005
【図２】
2016203592.tif 000006
【図３】
2016203592.tif 000007
【図４】
2016203592.tif 000008
【図５Ａ】
2016203592.tif 000009
【図５Ｂ】
2016203592.tif 000010
【図５Ｃ】
2016203592.tif 000011
【図６】
2016203592.tif 000012
【図７】
2016203592.tif 000013
【図８】
2016203592.tif 000014
【図９】
2016203592.tif 000015
【図１０】
2016203592.tif 000016
【図１１】
2016203592.tif 000017
【図１２】
2016203592.tif 000018
【図１３】
2016203592.tif 000019
【図１４】
2016203592.tif 000020
【図１５】
2016203592.tif 000021
【図１６】
2016203592.tif 000022
【図１７】
2016203592.tif 000023